(57)【要約】【課題】二台の装炭車のうち一台の装炭車が故障しても石炭の装入効率を大きく低下させることなくコークス炉の操業を行うことのできるコークス炉の操業方法を提供する【解決手段】コークス炉２１の炉頂部上を走行する装炭車１６からコークス炉２１の炭化室に石炭を装入してコークスを生成するに際して、コークス炉２１の炉端部近傍に予備装炭車２０を配置しておき、故障した装炭車１６を予備装炭車２０と入れ替えてコークス炉２１の操業を行う。【選択図】図１
2010195940.tif 000002
【特許請求の範囲】
【請求項１】
コークス炉の炉頂部上を走行する装炭車からコークス炉の炭化室に石炭を装入してコークスを生成するに際して、前記コークス炉の炉端部近傍に予備装炭車を配置しておき、前記装炭車の故障時に当該装炭車を前記予備装炭車と入れ替えてコークス炉の操業を行う方法であって、前記予備装炭車は前記コークス炉の炉端部近傍に設けられた第１の装炭車入替え用デッキ上に搭載され、前記予備装炭車と交換される装炭車を前記第１の装炭車入替え用デッキと前記コークス炉の炉端部との間に設けられた第２の装炭車入替え用デッキ上に移動させた後、前記第２の装炭車入替え用デッキを前記第１の装炭車入替え用デッキと干渉しない位置まで前記コークス炉の炉幅方向に移動させると共に前記第１の装炭車入替え用デッキを前記コークス炉の炉端部側に移動させて前記装炭車の入れ替えが行われることを特徴とするコークス炉の操業方法。
【請求項２】
コークス炉の炉頂部上を走行する装炭車からコークス炉の炭化室に石炭を装入してコークスを生成するに際して、前記コークス炉の炉端部近傍に予備装炭車を配置しておき、前記装炭車の故障時に当該装炭車を前記予備装炭車と入れ替えてコークス炉の操業を行う方法であって、前記予備装炭車は前記コークス炉の炉端部近傍に設けられた固定デッキ上に搭載され、前記予備装炭車と交換される装炭車を前記固定デッキと前記コークス炉の炉端部との間に互いに隣接してコークス炉の炉幅方向に並設された二つの可動デッキのうち一方の可動デッキ上に移動させた後、前記二つの可動デッキを前記コークス炉の炉幅方向に移動させて前記装炭車の入れ替えが行われることを特徴とするコークス炉の操業方法。
【発明の詳細な説明】
【技術分野】
【０００１】
本発明は、コークス炉、特に、蓄熱室の上部に多数の炭化室と燃焼室を交互に形成した室炉式コークス炉の操業方法に関する。
【背景技術】
【０００２】
コークス炉は、図３に示すように、蓄熱室１１の上部に多数の炭化室１２と燃焼室１３を交互に形成した構造となっており、各炭化室１２には、炭槽１４に貯蔵された石炭がコークス炉の炉頂部上に配設された軌道１５上を走行する装炭車１６から装入されるようになっている。そして、装炭車１６から炭化室１２に装入された石炭は燃焼室１３で発生した熱により乾留されてコークスとなった後、押出し機１７により炭化室１２から押し出されるようになっている。なお、炭化室１２から押し出されたコークスは押出し機１７と反対側に配置されたガイド車１８から消火車１９に供給され、この消火車１９で消火されるようになっている。
【０００３】
ところで、このようなコークス炉の炭化室に石炭を装入してコークスを生成する場合、通常、二台の装炭車を使用してコークス炉の操業を行っている。そして、二台の装炭車のうち一方の装炭車が操業中に故障した場合は、特許文献１あるいは特許文献２に示唆されているように、故障した装炭車をコークス炉の炉端部に移動させた後、故障していないほうの装炭車を使用してコークス炉の炭化室に石炭を装入している。
【先行技術文献】
【特許文献】
【０００４】
【特許文献１】特開昭５９−１８９１８６号公報
【特許文献２】特公昭６２−４８９９７号公報
【発明の概要】
【発明が解決しようとする課題】
【０００５】
上述した方法によると、コークス炉の操業を停止することなく故障した装炭車の修理を行うことができる。しかしながら、故障した装炭車の修理が完了するまでは、一台の装炭車だけで石炭を装入しなければならないため、石炭の装入効率が大きく低下するという問題があった。
本発明は上述した問題点に鑑みてなされたもので、その目的は、二台の装炭車のうち一台の装炭車が故障しても石炭の装入効率を大きく低下させることなくコークス炉の操業を行うことのできるコークス炉の操業方法を提供することである。
【課題を解決するための手段】
【０００６】
上記課題を解決するために、請求項１の発明に係るコークス炉の操業方法は、コークス炉の炉頂部上を走行する装炭車からコークス炉の炭化室に石炭を装入してコークスを生成するに際して、前記コークス炉の炉端部近傍に予備装炭車を配置しておき、前記装炭車の故障時に当該装炭車を前記予備装炭車と入れ替えてコークス炉の操業を行う方法であって、前記予備装炭車は前記コークス炉の炉端部近傍に設けられた第１の装炭車入替え用デッキ上に搭載され、前記第１の装炭車入替え用デッキと前記コークス炉の炉端部との間に設けられた第２の装炭車入替え用デッキ上に故障した装炭車を移動させた後、前記第２の装炭車入替え用デッキを前記第１の装炭車入替え用デッキと干渉しない位置まで前記コークス炉の炉幅方向に移動させると共に前記第１の装炭車入替え用デッキを前記コークス炉の炉端部側に移動させて前記装炭車の入れ替えが行われることを特徴とするものである。
【０００７】
請求項２の発明に係るコークス炉の操業方法は、コークス炉の炉頂部上を走行する装炭車からコークス炉の炭化室に石炭を装入してコークスを生成するに際して、前記コークス炉の炉端部近傍に予備装炭車を配置しておき、前記装炭車の故障時に当該装炭車を前記予備装炭車と入れ替えてコークス炉の操業を行う方法であって、前記予備装炭車は前記コークス炉の炉端部近傍に設けられた固定デッキ上に搭載され、前記予備装炭車と交換される装炭車を前記固定デッキと前記コークス炉の炉端部との間に互いに隣接してコークス炉の炉幅方向に並設された二つの可動デッキのうち一方の可動デッキ上に移動させた後、前記二つの可動デッキを前記コークス炉の炉幅方向に移動させて前記装炭車の入れ替えが行われることを特徴とするものである。
【発明の効果】
【０００８】
請求項１及び２の発明によれば、故障していない装炭車と予備装炭車の二台でコークス炉の炭化室に石炭を装入することが可能となるので、二台の装炭車のうち一台の装炭車が故障しても石炭の装入効率を大きく低下させることなくコークス炉の操業を行うことができる。
【図面の簡単な説明】
【０００９】
【図１】本発明の第１の実施形態に係るコークス炉の操業方法を示す図である
【図２】本発明の第２の実施形態に係るコークス炉の操業方法を示す図である
【図３】コークス炉の概略構成を示す図である。
【発明を実施するための形態】
【００１０】
以下、図１及び図２を参照して本発明に係るコークス炉の操業方法について説明する。
図１は、本発明の第１の実施形態に係るコークス炉の操業方法を示す図である。同図において符号２０は予備装炭車を示し、この予備装炭車２０はコークス炉２１の炉端部近傍に設けられた第１の装炭車入替え用デッキ２２上に搭載されている。
第１の装炭車入替え用デッキ２２はコークス炉２１の炉幅方向と直交する水平方向（図中左右方向）に移動可能となっており、この第１の装炭車入替え用デッキ２２とコークス炉２１の炉端部との間には、第２の装炭車入替え用デッキ２３がコークス炉２１の炉幅方向（図中上下方向）に移動可能に設けられている。
【００１１】
これらの第１の装炭車入替え用デッキ２２および第２の装炭車入替え用デッキ２３を使用して故障した装炭車１６を予備装炭車２０と入れ替える場合は、まず、図１（ｂ）に示すように、故障した装炭車１６を第２の装炭車入替え用デッキ２３上に移動させる。次に、図１（ｃ）に示すように、第２の装炭車入替え用デッキ２３を第１の装炭車入替え用デッキ２２と干渉しない位置まで図中下方に水平移動させた後、予備装炭車２０を搭載した第１の装炭車入替え用デッキ２２をコークス炉２１の炉端部側に水平移動させ、図１（ｄ）に示すように、第１の装炭車入替え用デッキ２２をコークス炉２１の炉端部に隣接させる。そして、第１の装炭車入替え用デッキ２２がコークス炉２１の炉端部に隣接したならば、図１（ｅ）に示すように、予備装炭車２０をコークス炉２１の炉頂部上に移動させ、コークス炉２１の炉頂部上に移動した予備装炭車２０と故障していない装炭車の二台でコークス炉２１の炭化室に石炭を装入する。
【００１２】
上述した第１の実施形態のように、コークス炉２１の炭化室に石炭を装炭車１６から装入してコークスを生成するに際して、コークス炉２１の炉端部近傍に予備装炭車２０を配置しておき、装炭車１６の故障時に故障した装炭車１６を予備装炭車２０と入れ替えると、故障していない装炭車と予備装炭車２０の二台でコークス炉２１の炭化室に石炭を装入することが可能となる。したがって、二台の装炭車１６のうち一台の装炭車１６が故障しても石炭の装入効率を大きく低下させることなくコークス炉２１の操業を行うことができる。
【００１３】
上述した第１の実施形態では、第１の装炭車入替え用デッキ２２とコークス炉２１の炉端部との間に設けられた第２の装炭車入替え用デッキ２３上に故障した装炭車１６を移動させた後、第２の装炭車入替え用デッキ２３をコークス炉２１の炉幅方向に移動させると共に第１の装炭車入替え用デッキ２２をコークス炉２１の炉端部側に移動させて故障した装炭車１６を予備装炭車２０と入れ替えるようにしたが、これに限られるものではない。
【００１４】
例えば、図２に示す本発明の第２の実施形態のように、コークス炉２１の炉端部近傍に設けられた固定デッキ２４上に予備装炭車２０を配置しておき、予備装炭車２０と交換される装炭車１６を固定デッキ２４とコークス炉２１の炉端部との間に互いに隣接してコークス炉２１の炉幅方向に並設された二つの可動デッキ２５，２６のうち一方の可動デッキ（例えば可動デッキ２５）上に移動させた後、予備装炭車２０が固定デッキ２４上から可動デッキ２６上に移動できるように可動デッキ２５，２６をコークス炉２１の炉幅方向に移動させ、固定デッキ２４上から可動デッキ２６上に移動した予備装炭車２０をコークス炉２１の炉頂部上に移動させて故障した装炭車１６を予備装炭車２０と入れ替えるようにしてもよい。
【符号の説明】
【００１５】
１１…蓄熱室、１２…炭化室、１３…燃焼室、１４…炭槽、１５…軌道、１６…装炭車、１７…押出し機、１８…ガイド車、１９…消火車、２０…予備装炭車、２１…コークス炉、２２…第１の装炭車入替え用デッキ、２３…第２の装炭車入替え用デッキ、２４…固定デッキ、２５，２６…可動デッキ。
【図１】
2010195940.tif 000003
【図２】
2010195940.tif 000004
【図３】
2010195940.tif 000005